【手続補正書】
【提出日】平成19年12月25日(2007.12.25)
【手続補正１】
【補正対象書類名】明細書
【補正対象項目名】特許請求の範囲
【補正方法】変更
【補正の内容】
【特許請求の範囲】
【請求項１】  撮像光学系による被写体像を光電変換する撮像素子と、該撮像素子の出力信号をデジタル画像データに変換するデータ処理手段と、該データ処理手段で処理中の画像データ或いは該データ処理手段の処理を経たデジタル画像データを記録可能な記録手段とを有する撮像装置であって、
前記撮影光学系の特性データと前記撮像素子の出力信号に基づき、前記画像データの輝度／色分離処理、色変換処理を行う前に、前記画像データに対し前記撮像光学系による画質劣化を補正する処理を施す画像劣化補正処理手段を有することを特徴とする撮像装置。
【請求項２】  前記記録手段は、撮像装置本体に内蔵された記録手段或いは撮像装置本体に着脱可能な記録手段であることを特徴とする請求項１に記載の撮像装置。
【請求項３】  前記撮像光学系の特性データの特性値に応じて、前記画像劣化補正処理手段による前記画像劣化補正処理を実行するか否かを判断する判断手段を有することを特徴とする請求項１又は２に記載の撮像装置。
【請求項４】  前記画像劣化補正処理手段で補正される前記画質劣化は、前記撮像光学系の軸外色収差と歪曲収差のうち少なくとも何れか１つを含むことを特徴とする請求項１又は３に記載の撮像装置。
【請求項５】  前記撮像光学系がズーム可能であると共に、前記撮像光学系のズームステートを検知可能な検知機構を有し、該検知機構により前記撮像光学系のズームステートにおける特性データを取得することが可能であることを特徴とする請求項１、３、４の何れか一項に記載の撮像装置。
【請求項６】  前記撮像光学系が交換可能であると共に、前記撮像光学系の種類を識別可能な識別機構を有し、該識別機構により前記撮像光学系における特性データを取得することが可能であることを特徴とする請求項１、３、４、５の何れか一項に記載の撮像装置。
【請求項７】  前記撮影光学系の特性データが、撮像装置本体に内蔵された記録手段に保存されている、或いは撮像装置本体に着脱可能な記録手段に保存可能である、或いは外部からインターフェースを介して撮像装置本体に内蔵された記録手段に保存可能であることを特徴とする請求項１乃至６の何れか一項に記載の撮像装置。
【請求項８】  撮影画像を表示する表示手段と、撮像画像のフレーム表示時間間隔に応じて、前記画像劣化補正処理手段で画像劣化補正処理されなかった或いは画像劣化補正処理された前記デジタル画像データの何れかに基づく撮影画像を前記表示手段に表示させる表示制御手段とを有することを特徴とする請求項１乃至７の何れか一項に記載の撮像装置。
【請求項９】  撮影画像を表示する表示手段と、外部からの選択に応じて、前記画像劣化補正処理手段で画像劣化補正処理されなかった或いは画像劣化補正処理された前記デジタル画像データの何れかに基づく撮影画像を前記表示手段に表示させる表示制御手段とを有することを特徴とする請求項１乃至７の何れか一項に記載の撮像装置。
【請求項１０】  前記画像劣化補正処理手段による前記画像劣化補正処理に用いるデータは、レンズ設計値、レンズ収差データ、レンズ収差補正パラメータ等の前記軸外色収差、前記歪曲収差の補正に有効なデータであることを特徴とする請求項１、３、４、８、９の何れか一項に記載の撮像装置。
【請求項１１】  撮像光学系による被写体像を光電変換する撮像素子と、該撮像素子の出力信号をデジタル画像データに変換するデータ処理手段と、該データ処理手段で処理中の画像データ或いは該データ処理手段の処理を経たデジタル画像データを記録可能な記録手段とを有する撮像装置に適用される画像劣化補正処理方法であって、
前記撮影光学系の特性データと前記撮像素子の出力信号に基づき、前記画像データの輝度／色分離処理、色変換処理を行う前に、前記画像データに対し前記撮像光学系による画質劣化を補正する処理を施すことを特徴とする画像劣化補正処理方法。
【請求項１２】  前記記録手段は、前記撮像装置に内蔵された記録手段或いは前記撮像装置に着脱可能な記録手段であることを特徴とする請求項１１に記載の画像劣化補正処理方法。
【請求項１３】  前記撮像光学系の特性データの特性値に応じて、前記画像劣化補正処理手段による前記画像劣化補正処理を実行するか否かを判断することを特徴とする請求項１１又は１２に記載の画像劣化補正処理方法。
【請求項１４】  前記画像劣化補正処理される前記画質劣化は、前記撮像光学系の軸外色収差と歪曲収差のうち少なくとも何れか１つを含むことを特徴とする請求項１１又は１３に記載の画像劣化補正処理方法。
【請求項１５】  前記撮像光学系がズーム可能であると共に、前記撮像光学系のズームステートを検知可能な検知機構により前記撮像光学系のズームステートにおける特性データを取得することが可能であることを特徴とする請求項１１、１３、１４の何れか一項に記載の画像劣化補正処理方法。
【請求項１６】  前記撮像光学系が交換可能であると共に、前記撮像光学系の種類を識別可能な識別機構により前記撮像光学系における特性データを取得することが可能であることを特徴とする請求項１１、１３、１４、１５の何れか一項に記載の画像劣化補正処理方法。
【請求項１７】  前記撮影光学系の特性データが、前記撮像装置に内蔵された記録手段に保存されている、或いは前記撮像装置に着脱可能な記録手段に保存可能である、或いは外部からインターフェースを介して前記撮像装置に内蔵された記録手段に保存可能であることを特徴とする請求項１１乃至１６の何れか一項に記載の画像劣化補正処理方法。
【請求項１８】  撮像画像のフレーム表示時間間隔に応じて、前記画像劣化補正処理されなかった或いは前記画像劣化補正処理された前記デジタル画像データの何れかに基づく撮影画像を表示することを特徴とする請求項１１乃至１７の何れか一項に記載の画像劣化補正処理方法。
【請求項１９】  外部からの選択に応じて、前記画像劣化補正処理されなかった或いは前記画像劣化補正処理された前記デジタル画像データの何れかに基づく撮影画像を表示することを特徴とする請求項１１乃至１７の何れか一項に記載の画像劣化補正処理方法。
【請求項２０】  前記画像劣化補正処理に用いるデータは、レンズ設計値、レンズ収差データ、レンズ収差補正パラメータ等の前記軸外色収差、前記歪曲収差の補正に有効なデータであることを特徴とする請求項１１、１３、１４、１８、１９の何れか一項に記載の画像劣化補正処理方法。
【請求項２１】  撮像光学系による被写体像を光電変換する撮像素子と、該撮像素子の出力信号をデジタル画像データに変換するデータ処理手段と、該データ処理手段で処理中の画像データ或いは該データ処理手段の処理を経たデジタル画像データを記録可能な記録手段とを有する撮像装置に適用される画像劣化補正処理方法を実行するプログラムを記憶したコンピュータにより読み出し可能な記憶媒体であって、
前記画像劣化補正処理方法は、前記撮影光学系の特性データと前記撮像素子の出力信号に基づき、前記画像データの輝度／色分離処理、色変換処理を行う前に、前記画像データに対し前記撮像光学系による画質劣化を補正する処理を施す画像劣化補正処理ステップを有することを特徴とする記憶媒体。
【請求項２２】  前記記録手段は、前記撮像装置に内蔵された記録手段或いは前記撮像装置に着脱可能な記録手段であることを特徴とする請求項２１に記載の記憶媒体。
【請求項２３】  前記撮像光学系の特性データの特性値に応じて、前記画像劣化補正処理手段による前記画像劣化補正処理を実行するか否かを判断する判断ステップを有することを特徴とする請求項２１又は２２に記載の記憶媒体。
【請求項２４】  前記画像劣化補正処理ステップで補正される前記画質劣化は、前記撮像光学系の軸外色収差と歪曲収差のうち少なくとも何れか１つを含むことを特徴とする請求項２１又は２３に記載の記憶媒体。
【請求項２５】  前記撮像光学系がズーム可能であると共に、前記撮像光学系のズームステートを検知可能な検知ステップを有し、該検知ステップにより前記撮像光学系のズームステートにおける特性データを取得することが可能であることを特徴とする請求項２１、２３、２４の何れか一項に記載の記憶媒体。
【請求項２６】  前記撮像光学系が交換可能であると共に、前記撮像光学系の種類を識別可能な識別ステップを有し、該識別ステップにより前記撮像光学系における特性データを取得することが可能であることを特徴とする請求項２１、２３、２４、２５の何れか一項に記載の記憶媒体。
【請求項２７】  前記撮影光学系の特性データが、前記撮像装置に内蔵された記録手段に保存されている、或いは前記撮像装置に着脱可能な記録手段に保存可能である、或いは外部からインターフェースを介して前記撮像装置に内蔵された記録手段に保存可能であることを特徴とする請求項２１乃至２６の何れか一項に記載の記憶媒体。
【請求項２８】  撮像画像のフレーム表示時間間隔に応じて、前記画像劣化補正処理ステップで画像劣化補正処理されなかった或いは画像劣化補正処理された前記デジタル画像データの何れかに基づく撮影画像を表示手段に表示させる表示制御ステップを有することを特徴とする請求項２１乃至２７の何れか一項に記載の記憶媒体。
【請求項２９】  外部からの選択に応じて、前記画像劣化補正処理ステップで画像劣化補正処理されなかった或いは画像劣化補正処理された前記デジタル画像データの何れかに基づく撮影画像を表示手段に表示させる表示制御ステップを有することを特徴とする請求項２１乃至２７の何れか一項に記載の記憶媒体。
【請求項３０】  前記画像劣化補正処理ステップによる前記画像劣化補正処理に用いるデータは、レンズ設計値、レンズ収差データ、レンズ収差補正パラメータ等の前記軸外色収差、前記歪曲収差の補正に有効なデータであることを特徴とする請求項２１、２３、２４、２８、２９の何れか一項に記載の記憶媒体。
【手続補正２】
【補正対象書類名】明細書
【補正対象項目名】００１３
【補正方法】変更
【補正の内容】
【００１３】
【課題を解決するための手段】
上記目的を達成するため、請求項１記載の発明は、撮像光学系による被写体像を光電変換する撮像素子と、該撮像素子の出力信号をデジタル画像データに変換するデータ処理手段と、該データ処理手段で処理中の画像データ或いは該データ処理手段の処理を経たデジタル画像データを記録可能な記録手段とを有する撮像装置であって、前記撮影光学系の特性データと前記撮像素子の出力信号に基づき、前記画像データの輝度／色分離処理、色変換処理を行う前に、前記画像データに対し前記撮像光学系による画質劣化を補正する処理を施す画像劣化補正処理手段を有することを特徴とする。
【手続補正３】
【補正対象書類名】明細書
【補正対象項目名】００２３
【補正方法】変更
【補正の内容】
【００２３】
上記目的を達成するため、請求項１１記載の発明は、撮像光学系による被写体像を光電変換する撮像素子と、該撮像素子の出力信号をデジタル画像データに変換するデータ処理手段と、該データ処理手段で処理中の画像データ或いは該データ処理手段の処理を経たデジタル画像データを記録可能な記録手段とを有する撮像装置に適用される画像劣化補正処理方法であって、前記撮影光学系の特性データと前記撮像素子の出力信号に基づき、前記画像データの輝度／色分離処理、色変換処理を行う前に、前記画像データに対し前記撮像光学系による画質劣化を補正する処理を施すことを特徴とする。
【手続補正４】
【補正対象書類名】明細書
【補正対象項目名】００３３
【補正方法】変更
【補正の内容】
【００３３】
上記目的を達成するため、請求項２１記載の発明は、撮像光学系による被写体像を光電変換する撮像素子と、該撮像素子の出力信号をデジタル画像データに変換するデータ処理手段と、該データ処理手段で処理中の画像データ或いは該データ処理手段の処理を経たデジタル画像データを記録可能な記録手段とを有する撮像装置に適用される画像劣化補正処理方法を実行するプログラムを記憶したコンピュータにより読み出し可能な記憶媒体であって、前記画像劣化補正処理方法は、前記撮影光学系の特性データと前記撮像素子の出力信号に基づき、前記画像データの輝度／色分離処理、色変換処理を行う前に、前記画像データに対し前記撮像光学系による画質劣化を補正する処理を施す画像劣化補正処理ステップを有することを特徴とする。
【手続補正５】
【補正対象書類名】明細書
【補正対象項目名】００４５
【補正方法】変更
【補正の内容】
【００４５】
図１は本発明の第１の実施の形態に係るデジタル撮像機器の例であるデジタルスチルカメラ（撮像装置本体）の構成例を示すブロック図である。本発明の第１の実施の形態に係るデジタルスチルカメラは、撮像光学系１１、撮像素子１２を有する撮像部１０と、ＡＧＣ（オートゲインコントローラ）、Ａ／Ｄ変換部２１、画像データ変換部２２、画像劣化補正処理部２３、画像処理部２４、圧縮処理部２５を有するデータ処理部２０と、出力画像メモリ３０と、データインターフェース部３１と、ユーザインターフェース部３３と、ＣＰＵ、内蔵メモリ部３４（判断手段、表示制御手段、記録手段）とを具備している。
【手続補正６】
【補正対象書類名】明細書
【補正対象項目名】００５３
【補正方法】変更
【補正の内容】
【００５３】
画像劣化補正処理部２３の処理は、図２に示すようなブロック図で表される。即ち、画像劣化補正処理部２３は、図２に示す如く、座標変換部２３ａ、補間処理部２３ｂから構成されている。デジタル画像データの軸外色収差と歪曲収差は、ＣＰＵ、内蔵メモリ部３４の内蔵メモリ部（記録手段）に格納されている（保存されている、或いは保存可能である）収差特性データを用いて、R、G、Bそれぞれの画像データについて座標変換部２３ａで座標変換を行い、その後、補間処理部２３ｂで補間処理を行うことで補正される。前記座標変換は、画像データの各画素において発生している軸外色収差と歪曲収差による被写体像の位置ずれを打ち消すように新たな座標系を求めることで行う。次に、正方格子座標でなくなった前記座標系を、正方格子座標系に再度変換するために、前記補間処理を行う。
【手続補正７】
【補正対象書類名】明細書
【補正対象項目名】符号の説明
【補正方法】変更
【補正の内容】
【符号の説明】
１１  撮像光学系
１２  撮像素子
２０  データ処理部（データ処理手段）
２１  ＡＧＣ、Ａ／Ｄ変換部（データ処理手段）
２２  画像データ変換部（データ処理手段）
２３  画像劣化補正処理部（画像劣化補正処理手段）
３０  出力画像メモリ（記録手段）
３１  データインターフェース部（インターフェース）
３２  画像表示部（表示手段）
３４  ＣＰＵ、内蔵メモリ部（判断手段、表示制御手段、記録手段）